(57)【要約】【課題】  筐体側内部の電気回路とカメラモジュール内部の撮像素子等との間を接続する電気配線に捩りモーメントが加わらず、カメラモジュールを筐体に取り付けるための構造を簡単にすることができる撮像装置及びカメラモジュールを提供する。【解決手段】  筐体８，１０と、撮像信号を出力するカメラモジュール４と、撮像信号を表示する表示部１２とを備えた撮像装置２において、カメラモジュールは、撮像素子６２と、該撮像素子の撮像軸線上に配置されてこの撮像軸線を略直角方向の反射軸線に屈折させると共にこの撮像軸線を中心にして撮像素子に対して回転自在である第１の反射部材７４とを有し、反射軸線の方向を検出する検出部８０を設けて、検出部が所定の方向を検出した場合には、撮像素子の取り込んだ画像の表示方向を変更するようにした。【選択図】      図４
2005101838.tif 000002
【特許請求の範囲】
【請求項１】
筐体と、撮像信号を出力するカメラモジュールと、前記撮像信号を表示する表示部とを備えた撮像装置において、
前記カメラモジュールは、撮像素子と、該撮像素子の撮像軸線上に配置されてこの撮像軸線を略直角方向の反射軸線に屈折させると共にこの撮像軸線を中心にして撮像素子に対して回転自在である第１の反射部材とを有し、
前記反射軸線の方向を検出する検出部を設けて、前記検出部が所定の方向を検出した場合には、前記撮像素子の取り込んだ画像の表示方向を変更することを特徴とする撮像装置。
【請求項２】
前記カメラモジュールは、前記反射軸線上に配置される第２の反射部材を有し、
前記第２の反射部材が前記反射軸線を中心に前記第１の反射部材に対して回転自在に構成されることを特徴とする請求項１に記載の撮像装置。
【請求項３】
前記筐体は、複数の開口部を備えると共に、前記カメラモジュールを前記第１の反射部材の回転により前記複数の開口部を通して撮像可能に内包することを特徴とする請求項１に記載の撮像装置。
【請求項４】
撮像素子を固定した基体と、該撮像素子の撮像軸線上に配置される反射部材を有し、
前記反射部材は、前記撮像軸線を略直角方向の反射軸線に屈折させると共に前記撮像軸線を中心にして前記撮像素子に対して回転自在に構成され、
前記反射部材の反射軸線の方向を検出する検出部を備えることを特徴とするカメラモジュール。
【発明の詳細な説明】
【技術分野】
【０００１】
本発明は、デジタルカメラや撮像機能付携帯電話機等のように、撮影した画像等を表示させることができる表示部を備えると共に、撮像方向を切替えることができるカメラモジュールが取り付けられている撮像装置に関するものである。
【背景技術】
【０００２】
従来においては、画像や映像を取り込んでその撮像信号を出力するカメラモジュールが、画像や映像を表示するファインダーとして機能する表示部を備えた筐体に取り付けられていて、そのカメラモジュールを所定の角度範囲内で回転させることにより、その撮像方向の切替えや調節をできるようにした撮像装置があった（例えば、特許文献１参照）。
【０００３】
前記特許文献１の撮像装置は、特に携帯電話機としての機能も備えており、カメラモジュールの撮像方向を表示部の表示方向と同じ方向に向けた場合には、この撮像装置のテレビ電話の機能が動作するようになっている。
【０００４】
この撮像装置がテレビ電話として機能しているときには、ユーザーは表示部に表示される相手ユーザーを見ながら会話することができる。また、カメラモジュールの撮像方向が表示部の表示方向と同じ方向になっているので、こちらのユーザーを撮影しながら表示部にこちらのユーザー自身を表示させることもできる。
【０００５】
また、カメラモジュールの撮像方向を表示部の表示方向と反対方向に向けたような場合には、通常の撮像機能を利用することができるようになっているので、表示部をファインダーとして動作させ、遠方の景色等を撮影することができる。
【０００６】
また、前記特許文献１の撮像装置とは異なる他の撮像装置として、携帯電話機としての機能を備えず、撮像方向が表示部の表示方向と同じ方向に向けられた場合にも撮像機能が動作するようになっていることにより、ユーザー自身を撮影しながら表示部にこのユーザー自身を表示部に表示するようになっているものもある。
【０００７】
このように、回転するカメラモジュールが筐体に取り付けられているような撮像装置では、カメラモジュールを回転させたときに、筐体内部の電気回路とカメラモジュール内部の撮像素子等を接続する電気配線に捩りモーメントが生じるため、これを吸収して断線を防止することができる構造になっていなければならない。そのため、筐体内部とカメラモジュール内部との間の電気配線には、柔軟性を有するフレキシブルプリント配線板等を用いるようになっている。
【特許文献１】特開平１１−１１２８６０号公報
【発明の開示】
【発明が解決しようとする課題】
【０００８】
しかしながら、筐体内部の電気回路とカメラモジュール内部の撮像素子等との間をフレキシブルプリント配線板で電気接続する構造にした場合には、このフレキシブルプリント配線板は、捩りモーメントを吸収することができる程度の長さを有する必要があるため、筐体内部又はカメラモジュール内部にこれを収納するための空間を設けなければならないという問題があった。
【０００９】
また、カメラモジュールが一定の角度を超えて回転すると、フレキシブルプリント配線板が捩りモーメントを吸収しきれずに破損する原因となるので、カメラモジュールが回転する角度の範囲を制限することができるようにする必要がある。そのため、カメラモジュールを筐体に取り付けるための構造が複雑化してしまうという問題があった。
【００１０】
そこで本発明は、上記問題点に鑑みて、筐体側内部の電気回路とカメラモジュール内部の撮像素子等との間を接続する電気配線に捩りモーメントが加わらず、カメラモジュールを筐体に取り付けるための構造を簡単にすることができる撮像装置及びカメラモジュールを提供することを課題とするものである。
【課題を解決するための手段】
【００１１】
上記課題を解決するために本発明は、
筐体と、撮像信号を出力するカメラモジュールと、前記撮像信号を表示する表示部とを備えた撮像装置において、
前記カメラモジュールは、撮像素子と、該撮像素子の撮像軸線上に配置されてこの撮像軸線を略直角方向の反射軸線に屈折させると共にこの撮像軸線を中心にして撮像素子に対して回転自在である第１の反射部材とを有し、
前記反射軸線の方向を検出する検出部を設けて、前記検出部が所定の方向を検出した場合には、前記撮像素子の取り込んだ画像の表示方向を変更することを特徴とするものである。
【００１２】
また、本発明による撮像装置は、
前記カメラモジュールが、前記反射軸線上に配置される第２の反射部材を有し、
前記第２の反射部材が前記反射軸線を中心に前記第１の反射部材に対して回転自在に構成されることを特徴とする。
【００１３】
また、本発明による撮像装置は、前記筐体が、複数の開口部を備えると共に、前記カメラモジュールを前記第１の反射部材の回転により前記複数の開口部を通して撮像可能に内包することを特徴とする。
【００１４】
また、本発明によるカメラモジュールは、
撮像素子を固定した基体と、該撮像素子の撮像軸線上に配置される反射部材を有し、
前記反射部材は、前記撮像軸線を略直角方向の反射軸線に屈折させると共に前記撮像軸線を中心にして前記撮像素子に対して回転自在に構成され、
前記反射部材の反射軸線の方向を検出する検出部を備えることを特徴とする。
【発明の効果】
【００１５】
このような本発明の撮像装置及びカメラモジュールによれば、筐体側内部の電気回路とカメラモジュール内部の撮像素子等との間を接続する電気配線に捩りモーメントが加わらず、カメラモジュールを筐体に取り付けるための構造を簡単にすることができる。
【発明を実施するための最良の形態】
【００１６】
以下、本発明の実施の形態について、図面に基づいて具体的に説明する。
図１ないし図６は、本発明の第１の実施の形態に係る電話機能付きの撮像装置２及びそのカメラモジュール４について説明するために参照する図である。
【００１７】
図１に示すように、本実施の形態に係る撮像装置２は、連結部６を介して互いに回動自在に連結される第１筐体８と第２筐体１０を備えていて、第１筐体８はＬＣＤ（液晶ディスプレイ）等の表示部１２、及び画像や映像を取り込んでその撮像信号を出力するカメラモジュール４を有しており、第２筐体１０は操作部１４を有している。表示部１２には、カメラモジュール４から送出される画像や映像の撮像信号を表示させることができるようになっている。
【００１８】
第１筐体８には、表示部１２の表示面１６を見ることができる前面１８側であって、表示部１２よりも連結部６寄りの位置に、矩形の開口部２０が形成されていて、この開口部２０からカメラモジュール４の鏡胴２２の一部が外側に露出するようになっている。
【００１９】
この鏡胴２２は、略円柱形状であって、後述するように、その軸線方向が第１筐体８の幅方向と平行になるように第１筐体８の内部で回転自在に支持される構造になっている。そして、鏡胴２２は、その両方の端面２４，２６に挟まれる円筒周面２８の一部が開口部２０から露出している。
【００２０】
撮像装置２は、図１に示す状態において、鏡胴２２の円筒周面２８の一部に設けられたレンズ３０が、開口部２０から露出して表示部１２の表示方向と同じ方向を向いており、この方向が撮像方向になっている。
【００２１】
また、この撮像装置２の第１筐体８には、図２に示すように、前面１８の開口部２０と同様に、前面１８とは反対側の背面３２にも矩形の開口部３４が形成されていて、鏡胴２２の円筒周面２８の一部が露出するようになっている。
【００２２】
図２中に示すように、カメラモジュール４のレンズ３０の撮像方向が、表示部１２の表示方向（前面１８と垂直の方向）と略同じ方向（図中、矢印Ａ方向）になっている状態から、鏡胴２２を１８０°回転させると、撮像方向を表示部１２の表示方向とは反対方向（図中、矢印Ｂ方向）にすることができる。
【００２３】
次に、図３ないし図６に基づいて、第１筐体８の内部におけるカメラモジュール４の構造について説明する。図３及び図４は、撮像方向が表示部１２の表示方向と同じ方向になっている状態を示している。
【００２４】
図３に示すように、カメラモジュール４は、鏡胴２２の他に、第１筐体８の背面３２側の内壁３６に固定されている軸受部３８及び基体４０を備えている。鏡胴２２の一方の端面２４には、この鏡胴２２の軸線上に伸びる回転軸４２が設けられていて、この回転軸４２の長さ方向の略中央部分を軸受部３８が回転自在に支持している。
【００２５】
また、基体４０は、鏡胴２２を挟んで軸受部３８とは反対側に配置されていて、軸線が鏡胴２２の軸線と一致するような円柱部４４を有しており、この円柱部４４の鏡胴２２側とは反対側の端部４４ａに矩形のフランジ部４８が一体的に形成されて、このフランジ部４８が第１筐体８の内壁３６に固定されている。
【００２６】
そして、図４に示すように、基体４０は、その円柱部４４における鏡胴２２側の軸線方向の所定長さの端部５０が、他の部分よりも直径が小さく形成されている。鏡胴２２の基体４０側の端部２２ａには、その軸線上に基体４０の円柱部４４の端部５０に対応する軸孔５４が形成されており、この軸孔５４に基体４０の円柱部４４の端部５０が挿入して回転自在に支持されるようになっている。
【００２７】
また、基体４０は、その内部に空間５６を有しており、この空間５６は基体４０を軸線方向に貫通するようになっている。基体４０のフランジ部４８側の端面４８ａには、基板６０が貼り付けられていて、この基板６０を介してＣＣＤ（Ｃｈａｒｇｅ  Ｃｏｕｐｌｅｄ  Ｄｅｖｉｃｅ）等の撮像素子６２が固定される。
【００２８】
撮像素子６２は、この基板６０の内側面６０ａに、その撮像軸線が基体４０及び鏡胴２２の軸線と一致するように配置されている。また、基板６０は、その外側面６０ｂにおいて、第１筐体８の電気回路基板６８（電気回路）と必要最小限の長さを有するフレキシブルプリント配線板７０により電気接続されて、撮像信号を出力するようになっている。
【００２９】
また、鏡胴２２は、その内部に空間７２を有していて、この内部の空間７２は軸孔５４を介して基体４０内の空間５６と軸線方向に連通している。また、この空間７２には、ミラー部材７４（反射部材に相当）が配置されていて、撮像軸線を略直角方向の反射軸線に反射（屈折）させるようになっている。
【００３０】
したがって、反射軸線は、鏡胴２２のレンズ３０を介して、撮像方向を向くようになっているので、鏡胴２２を回転させて撮像方向を切替えた場合でも、撮像素子６２は撮影している画像又は映像を常に取り込めるようになっている。また、鏡胴２２には、フレキシブルプリント配線板等が直接接続されないため、回転動作が制限されることがない。
【００３１】
また、図３に示すように、このカメラモジュール４には、鏡胴２２の回転軸４２の先端部４２ａに、その軸線に直角な断面が扇形状に形成されているノブ７８ａが設けられると共に、第１筐体８の背面３２側の内壁３６に、このノブ７８ａに対応する検出部８０ａが配置されている。この検出部８０ａは突起部８２ａを備えていて、この突起部８２ａは所定高さまでその突出方向に付勢されているが、ノブ７８ａが接触して押し込まれたときにこのことを検出部８０ａは検出するようになっている。
【００３２】
図３中に示すように、反射軸線が表示部１２の表示方向に向いている状態においては、回転軸４２のノブ７８ａは検出部８０ａの突起部８２ａから離れているため検出部８０ａは検出動作を行なわないが、鏡胴２２を１８０°回転させて反射軸線を表示部１２の表示方向とは反対方向に向けると、回転軸４２のノブ７８ａが突起部８２ａを押し込んで検出部８０ａに検出動作を行なわせるようになっている。
【００３３】
このように、反射軸線が表示部１２の表示方向とは１８０°反対方向になった場合には、撮像素子６２は画像や映像の上下方向を逆の向きで取り込んでしまうため、撮像装置２は、検出部８０ａが検出動作を行なっているときには、撮影した画像や映像を、上下方向が逆の向きとならぬよう１８０°回転させて表示部１２に表示するようになっている。
【００３４】
また、図４に示すように、このカメラモジュール４は、停留位置決め機構８４を備えている。すなわち、図５に示すように、この停留位置決め機構８４は、鏡胴２２の端面２６に形成された孔部８６に収納されたバネ部材８８により付勢されるボール部材９０が、鏡胴２２の端面２６と当接する基体４０の円柱部４４の当接面９２に押し当てられるようになっている。
【００３５】
一方、円柱部４４の当接面９２には、反射軸線を表示部１２の表示方向又は反対方向に向けたときの２ヶ所の停留位置に対応して、図６に示すように、ボール部材９０の一部が押し込まれるような球面状の窪み９４が略１８０°の間隔の位置に形成されていて、鏡胴２２を回転させたときに停留位置でクリック（ｃｌｉｃｋ）感を得られるようになっている。
【００３６】
このような本実施の形態に係る撮像装置２及びカメラモジュール４によれば、第１筐体８の電気回路基板６８とカメラモジュール４内部の撮像素子６２等との間を接続するフレキシブルプリント配線板７０（電気配線）に捩りモーメントが加わらず、カメラモジュール４を第１筐体８に取り付けるための構造を簡単にすることができる。
【００３７】
また、カメラモジュール４のレンズ３０の撮像方向を切替えるために鏡胴２２を回転させる場合には、その回転方向や回転数が制限されることがない。
【００３８】
また、カメラモジュール４のレンズ３０の撮像方向を表示部１２の表示方向とは反対方向にしたような場合でも、画像や映像の上下方向を修正して、画像や映像が上下逆さまになって表示部１２に表示させることを防止することができる。
【００３９】
次に、図１、図７及び図８に基づいて、本発明の第２の実施の形態に係る撮像装置１００及びそのカメラモジュール１０２について説明する。これらの図に示す撮像装置１００及びそのカメラモジュール１０２は、図１に示すように、前記第１の実施の形態に係る撮像装置２及びカメラモジュール４と同様の部分には同じ符号を付して説明し、同様の構成についての重複する説明は省略するものとする。
【００４０】
本実施の形態に係るカメラモジュール１０２は、図７に示すように、鏡胴２２の回転軸４２の長さが延長されると共に、ノブ７８ａに対して軸線方向の異なる位置に１８０°位相の異なるノブ７８ｂが増設されている。また、増設したノブ７８ｂに対応する検出部８０ｂを検出部８０ａと並べて配置するようになっている。
【００４１】
ここで、それぞれのノブ７８ａ，７８ｂにおける扇形の角度は、図８に示すように、鏡胴２２のレンズ３０を第１筐体８の前面１８側の開口部２０から露出させることができる第１の露出範囲角度、又は背面３２側の開口部３４から露出させることができる第２の露出範囲角度に対応している。
【００４２】
図８中に示すように、鏡胴２２のレンズ３０が開口部２０から露出して反射軸線が第１の露出範囲角度内にある状態においては（例えば、図中、矢印Ａ方向）、図７に示すように、検出部８０ｂのみが検出動作を行なうようになっているため、この状態を検出することができる。このように検出部８０ｂのみが検出動作を行なっているときには、カメラモジュール１０２が撮影動作を行なうと共に、撮影した画像又は映像はその上下方向が変更されることなく表示部１２に表示されるようになっている。
【００４３】
また、図８に示すように、反射軸線が第１の露出範囲角度内にあるような状態から、鏡胴２２を時計回り方向又は反時計回り方向のいずれかに回転させていくと、やがて鏡胴２２のレンズ３０は開口部２０及び開口部３４のいずれからも露出しなくなる。
【００４４】
このように、反射軸線が第１の露出範囲角度又は第２の露出範囲角度のいずれの範囲内でもないような状態においては、図示しないが、検出部８０ａ，８０ｂのいずれも検出動作を行なわない。このように検出部８０ａ，８０ｂのいずれも検出動作を行なわないときには、カメラモジュール１０２が撮影動作を行なわないようになっている。
【００４５】
そして、鏡胴２２のレンズ３０が開口部３４から露出して反射軸線が第２の露出範囲角度内にある状態においては（例えば、図８中、矢印Ｂ方向）、検出部８０ａのみが検出動作を行なうようになっている。このように検出部８０ａのみが検出動作を行なっているときには、カメラモジュール１０２が撮影動作を行なうと共に、撮影した画像又は映像はその上下方向が変更されて表示部１２に表示されるようになっている。
【００４６】
このような本実施の形態に係る撮像装置１００及びカメラモジュール１０２によれば、前記第１の実施の形態と同様に、第１筐体８の電気回路基板６８とカメラモジュール１０２内部の撮像素子６２等との間を接続するフレキシブルプリント配線板７０（電気配線）に捩りモーメントが加わらず、カメラモジュール１０２を筐体に取り付けるための構造を簡単にすることができる。
【００４７】
また、前記第１の実施の形態と同様に、撮像方向を切替えるために鏡胴２２を回転させる場合には、その回転方向や回転数が制限されることがない。
【００４８】
また、鏡胴２２のレンズ３０を第１筐体８の背面３２側の開口部３４から露出させているような場合でも、画像や映像の表示の上下方向を変更して表示部１２に表示させることができると共に、鏡胴２２のレンズ３０が前面１８側の開口部２０又は背面３２側の開口部３４のいずれからも露出しないような場合には、カメラモジュール１０２に撮影動作させないようにすることができる。
【００４９】
次に、図９及び図１０に基づいて、本発明の第３の実施の形態に係る撮像装置１１０及びそのカメラモジュール１１２について説明する。これらの図に示す撮像装置１１０は、前記第１の実施の形態に係る撮像装置２と同様の部分には同じ符号を付して説明し、同様の構成についての重複する説明は省略するものとする。
【００５０】
本実施の形態に係る撮像装置１１０は、前記第１の実施の形態と同様に、第１筐体８と第２筐体１０がヒンジ構造の連結部６を介して回動自在に連結されているが、図９に示すように、連結部６を挟んで互いに向き合う第１筐体８及び第２筐体１０の長さ方向における連結部６側の端部１１４，１１６が、幅方向にそれぞれ一部を切り欠いたような形状の切欠き部１１８，１２０を形成するようになっている。
【００５１】
そして、連結部６は、第１筐体８及び第２筐体１０のそれぞれの端部１１４，１１６において、切欠き部１１８，１２０を除いた他の部分を連結するようになっている。この連結部６のヒンジ構造は、第２筐体１０の端部１１６に幅方向に所定の間隔で並んで形成された３つの凸形状部１２２，１２４，１２６に対して、これらに対応するように第１筐体８の端部１１４に幅方向に並んで形成された突出部１２８，１３０が嵌り込むようになっていて、これらが互いにピン結合されるようになっている。
【００５２】
カメラモジュール１３２は、第１の鏡胴１３４と第２の鏡胴１３６を備えており、第１の鏡胴１３４はその外形が略Ｌ字型になっている。そして、このカメラモジュール１３２は、第１の鏡胴１３４における「Ｌ」字の横線に相当する部分が凸形状部１２２に取り付けられて、連結部６の回動軸線を中心にして回転自在になっている（図９中、矢印Ｄ）。第２の鏡胴１３６は、第１の鏡胴１３４における「Ｌ」字の縦線に相当する部分の先端部に取り付けられて、後述の反射軸線を中心にして回転自在になっている（図９中、矢印Ｅ）。
【００５３】
カメラモジュール１３２のレンズ３０は、第２の鏡胴１３６の周面１３８の一部に設けられており、第１の鏡胴１３４及び第２の鏡胴１３６を回転させることにより、撮像方向を様々な方向に向けることができる。
【００５４】
図１０に示すように、本実施の形態に係るカメラモジュール１３２は、前記第１の実施の形態とは異なり、基体４０を備えるようにはなっておらず、連結部６の凸形状部１２２の内部が空間１４０を有するようになっていて基体４０を兼ねる構造になっている。
【００５５】
凸形状部１２２の内部に基板６０を介して固定される撮像素子６２は、その撮像軸線が連結部６の回動軸線と一致するようになっている。また、図示しないが、基板６０は、前記第１の実施の形態とは異なり、第２筐体１０の内部の電気回路基板（電気回路）と接続されるようになっている。
【００５６】
第１の鏡胴１３４は、その内部に空間１４２を有していて、この内部の空間１４２は凸形状部１２２の内部の空間１４０と撮像軸線方向に連通している。また、この空間１４２には、ミラー部材７４（反射部材に相当）が配置されていて、撮像軸線を略直角方向の反射軸線に反射するようになっている。
【００５７】
そして、第２の鏡胴１３６は、その内部に空間１４４を有していて、この内部の空間１４４は第１の鏡胴の内部の空間１４２と反射軸線方向に連通している。また、この空間１４４には、ミラー部材１４６（反射部材に相当）が配置されていて、反射軸線を略直角方向に反射するようになっており、反射軸線を反射させた方向が撮像方向となるようになっている。
【００５８】
このような本実施の形態に係る撮像装置１１０及びカメラモジュール１３２によれば、第２筐体１０の電気回路基板とカメラモジュール１３２内部の撮像素子６２等との間を接続する電気配線に捩りモーメントが加わらず、カメラモジュール１３２を連結部６に取り付けるための構造を簡単にすることができる。
【００５９】
また、前記第１の実施の形態と同様に、撮像方向を切替えるために第１の鏡胴１３４又は第２の鏡胴１３６を回転させる場合には、その回転方向や回転数が制限されることがない。
また、第１の鏡胴１３４及び第２の鏡胴１３６のそれぞれを回転させることができるようになっているので、撮像方向を様々な方向に向けることができる。
【００６０】
なお、本実施の形態において、第１の鏡胴１３４と凸形状部１２２との接触面に、所定の角度で電気的に導通する導通接点等の検出部を設けて、前記第１の実施の形態における検出部８０ａと同様に、反射軸線の方向を検出するようにしてもよい。このような場合には、撮像素子６２が撮影した画像や映像の上下方向を逆に取り込むときに、これらの画像や映像の上下方向を変更させて表示するようにすることはいうまでもない。
【００６１】
また、前記第１ないし第３の実施の形態においては、反射部材としてミラー部材７４，１４６を用いるようにしたが、プリズム等の他の種類の反射部材を利用してもよい。
【００６２】
また、前記第１ないし第３の実施の形態においては、電話機能付きの撮像装置２，１００，１１０に本発明を適用した場合について説明したが、電話機能付きでない他の種類の撮像装置にも本発明を適用することができることはいうまでもない。
【図面の簡単な説明】
【００６３】
【図１】本発明の第１及び第２の実施の形態に係る撮像装置２，１００を示す斜視図である。
【図２】図１中に示す第１筐体８の拡大側面図である。
【図３】図１中に示す第１筐体８内のカメラモジュール４の斜視図である。
【図４】図３に示すカメラモジュール４の側面断面図である。
【図５】図４に示す停留位置決め機構８４の拡大断面図である。
【図６】図５中に示す基体４０の円柱部４４のＣ−Ｃ線矢視図である。
【図７】本発明の第２の実施の形態に係るカメラモジュール１０２の斜視図である。
【図８】図１中に示す第１筐体８の拡大側面図である。
【図９】本発明の第３の実施の形態に係る撮像装置１１０を示す斜視図である。
【図１０】図１０中に示すカメラモジュール１３２の拡大側面断面図である。
【符号の説明】
【００６４】
２  撮像装置
４  カメラモジュール
６  連結部
８  第１筐体
１０  第２筐体
１２  表示部
１４  操作部
１６  表示面
１８  前面
２０  開口部
２２  鏡胴
２２ａ  端部
２４，２６  端面
２８  円筒周面
３０  レンズ
３２  背面
３４  開口部
３６  内壁
３８  軸受部
４０  基体
４２  回転軸
４２ａ  先端部
４４  円柱部
４４ａ  端部
４８  フランジ部
５０  端部
５４  軸孔
５６  空間
５８  端面
６０  基板
６０ａ  内側面
６０ｂ  外側面
６２  撮像素子
６８  電気回路基板
７０  フレキシブルプリント配線板
７２  空間
７４  ミラー部材
７８ａ，７８ｂ  ノブ
８０ａ，８０ｂ  検出部
８２ａ，８２ｂ  突起部
８４  停留位置決め機構
８６  孔部
８８  バネ部材
９０  ボール部材
９２  当接面
９４  窪み
１００  撮像装置
１０２  カメラモジュール
１１０  撮像装置
１１２  カメラモジュール
１１４，１１６  端部
１１８，１２０  切欠き部
１２２，１２４，１２６  凸形状部
１２８，１３０  突出部
１３２  カメラモジュール
１３４  第１の鏡胴
１３６  第２の鏡胴
１３８  周面
１４０，１４２，１４４  空間
１４６  ミラー部材
【図１】
2005101838.tif 000003
【図２】
2005101838.tif 000004
【図３】
2005101838.tif 000005
【図４】
2005101838.tif 000006
【図５】
2005101838.tif 000007
【図６】
2005101838.tif 000008
【図７】
2005101838.tif 000009
【図８】
2005101838.tif 000010
【図９】
2005101838.tif 000011
【図１０】
2005101838.tif 000012